(57)【要約】【課題】利用者が携帯電話機上で、動画データの一部分を送信させることのできる動画送信システムを提供すること。【解決手段】携帯電話機２から動画データに対する始点と終点の少なくとも一方を受け付けるとともに、これら始点と終点の少なくとも一方に基づいて、動画データのうち携帯電話機２に送信する送信範囲の始点と終点を特定し、動画データのうち特定した送信範囲を携帯電話機２に送信する動作送信サーバ１からなる動画送信システム。【選択図】図１
2009218833.tif 000002
【特許請求の範囲】
【請求項１】
ネットワークに通信可能で、複数の動画データを記憶し、該動画データを利用者が携行する携帯電話機に送信可能なサーバコンピュータと、前記ネットワークを介して前記サーバコンピュータから受信した前記動画データを出力可能な携帯電話機と、からなる動画送信システムであって、
前記携帯電話機は、
前記動画データの第１時点を特定可能な第１索引を前記サーバコンピュータに送信するための第１索引送信手段と、
前記動画データの第２時点を特定可能な第２索引を前記サーバコンピュータに送信するための第２索引送信手段と、
を備え、
前記サーバコンピュータは、
前記携帯電話機から前記第１索引または前記第２索引のうち少なくとも一方を受信していることを条件に、該受信した前記第１索引または前記第２索引のうち少なくとも一方に基づいて、前記動画データのうち前記携帯電話機に送信する送信範囲の始点及び終点を特定する送信範囲特定手段と、
前記動画データのうち前記送信範囲特定手段にて前記始点及び前記終点が特定された送信範囲を前記携帯電話機に送信するための動画送信手段と、
を備え、
前記送信範囲特定手段は、
前記動画データの送信中に前記第１索引を受信したときは、該第１索引により特定される第１時点を前記始点として特定し、
前記動画データの送信中に前記第２索引を受信したときは、該第２索引により特定される第２時点を前記終点として特定する、
ことを特徴とする動画送信システム。
【請求項２】
前記送信範囲特定手段は、前記動画データの送信が終了するまでに、複数の前記第1索引を受信したときには、前記複数の第1索引のうち最後に受信した前記第1索引により特定される前記第１時点を前記始点として特定する、
ことを特徴とする請求項１に記載の動画送信システム。
【請求項３】
前記送信範囲特定手段は、前記動画データの送信が終了するまでに、複数の前記第２索引を受信したときには、前記複数の第２索引のうち最後に受信した前記第２索引により特定される前記第２時点を前記終点として特定する、
ことを特徴とする請求項１または２に記載の動画送信システム。
【請求項４】
前記送信範囲特定手段は、前記動画データの送信が終了するまでに、前記第1索引のみを受信したときには、該第1索引により特定される前記第１時点を前記始点として特定し、該動画データの終了時点を前記終点として特定する、
ことを特徴とする請求項１〜３のいずれかに記載の動画送信システム。
【請求項５】
前記送信範囲特定手段は、前記動画データの送信が終了するまでに、前記第２索引のみを受信したときには、該動画データの開始時点を前記始点として特定し、該第２索引により特定される前記第２時点を前記終点として特定する、
ことを特徴とする請求項１〜４のいずれかに記載の動画送信システム。
【請求項６】
前記送信範囲特定手段は、前記動画データの全ての送信が終了したときに、該動画データの送信範囲の始点及び終点を特定する、
ことを特徴とする請求項１〜５のいずれかに記載の動画送信システム。
【請求項７】
前記送信範囲特定手段は、前記動画データの送信が終了するまでに、前記第２索引を受信した後に、該第２索引により特定される前記第２時点よりも後の時点となる前記第１時点を特定可能な前記第１索引を受信しているときは、該第１索引を受信するより前に受信した前記第１索引及び第２索引に対応する送信範囲の始点及び終点と、該第１索引以降に受信した前記第１索引及び第２索引に対応する送信範囲の始点及び終点と、をそれぞれ特定する、
ことを特徴とする請求項１〜６のいずれかに記載の動画送信システム。
【請求項８】
前記携帯電話機は、
前記第１索引入力手段による前記第１索引の入力と、前記第２索引入力手段による前記第２索引の入力と、を終了する旨を示す終了指示を前記利用者から受け付けるための終了指示入力手段と、
前記終了指示入力手段にて受け付けた前記終了指示を前記サーバコンピュータに送信する終了指示送信手段と、
を備え、
前記送信範囲特定手段は、前記終了指示を受信したときに前記動画データの送信を終了させて、該動画データの送信範囲の始点及び終点を特定する、
ことを特徴とする請求項１〜７のいずれかに記載の動画送信システム。
【請求項９】
前記携帯電話機は、
前記サーバコンピュータから送信されてくる前記動画データを受信して出力する動画出力手段と、
前記動画出力手段による前記動画データの出力中に、該動画データの前記第１時点を特定可能な前記第１索引を前記利用者から受け付ける第１索引入力手段と、
前記動画出力手段による前記動画データの出力中に、該動画データの前記第２時点を特定可能な前記第２索引を前記利用者から受け付けるための第２索引入力手段と、
を備え、
前記第１索引送信手段は、前記第１索引入力手段による受付時点を前記第１時点とし、該第１時点を特定可能な前記第１索引を前記サーバコンピュータに送信し、
前記第２索引送信手段は、前記第２索引入力手段による受付時点を前記第２時点とし、該第２時点を特定可能な前記第２索引を前記サーバコンピュータに送信する、
ことを特徴とする請求項１〜８のいずれかに記載の動画送信システム。
【請求項１０】
前記携帯電話機は、
複数の前記動画データの送信範囲を特定可能な情報と、該動画データの送信範囲の送信順序を特定可能な情報と、からなる送信指示を受け付けるための送信指示入力手段と、
前記送信指示入力手段にて受け付けた前記送信指示を前記サーバコンピュータに送信する送信指示送信手段と、
を備え、
前記動画送信手段は、受信した前記送信指示により特定される前記動画データの送信範囲を、該動画データの送信範囲の送信順序に基づいて前記携帯電話機に送信する、
ことを特徴とする請求項１〜９のいずれかに記載の動画送信システム。
【発明の詳細な説明】
【技術分野】
【０００１】
本発明は、利用者からの操作に基づいて、携帯電話機上に動画データの一部分を送信させるための動画送信システムに関する。
【背景技術】
【０００２】
従来、利用者からの操作に基づいて、携帯電話機上で動画データから任意の一部分を抽出したいという要望があった。
【０００３】
そこで、利用者からの操作に基づいて、携帯電話機上で動画データ、具体的には撮影した動画、あるいはネットワークを介してダウンロードした動画に対して、これら複数の動画データを連結させるための操作を受け付けて新たな動画データを生成できるようにした動画編集システムが提案されている（例えば、特許文献１参照）。
【０００４】
【特許文献１】特開２００５−１１７３７５号公報（請求項４）
【発明の開示】
【発明が解決しようとする課題】
【０００５】
しかしながら、特許文献１にあっては、編集対象となる動画データの前後に、異なる動画データを連結することはできても、編集対象となる動画データの一部分を抽出したり、同じ動画データもしくは異なる動画データの異なる一部分を連結することはできないという問題があった。
【０００６】
また、特許文献１にあっては、編集対象となる動画データを基にした新たな動画データを生成してしまうことから、編集対象となる動画データによっては著作権を侵害してしまうという問題があった。
【０００７】
本発明は、このような問題点に着目してなされたもので、利用者が携帯電話機上で、動画データの一部分を送信させることのできる動画送信システムを提供することを目的とする。
【課題を解決するための手段】
【０００８】
上記課題を解決するために、本発明の請求項１に記載の動画送信システムは、
ネットワークに通信可能で、複数の動画データを記憶し、該動画データを利用者が携行する携帯電話機に送信可能なサーバコンピュータと、前記ネットワークを介して前記サーバコンピュータから受信した前記動画データを出力可能な携帯電話機と、からなる動画送信システムであって、
前記携帯電話機は、
前記動画データの第１時点を特定可能な第１索引を前記サーバコンピュータに送信するための第１索引送信手段と、
前記動画データの第２時点を特定可能な第２索引を前記サーバコンピュータに送信するための第２索引送信手段と、
を備え、
前記サーバコンピュータは、
前記携帯電話機から前記第１索引または前記第２索引のうち少なくとも一方を受信していることを条件に、該受信した前記第１索引または前記第２索引のうち少なくとも一方に基づいて、前記動画データのうち前記携帯電話機に送信する送信範囲の始点及び終点を特定する送信範囲特定手段と、
前記動画データのうち前記送信範囲特定手段にて前記始点及び前記終点が特定された送信範囲を前記携帯電話機に送信するための動画送信手段と、
を備え、
前記送信範囲特定手段は、
前記動画データの送信中に前記第１索引を受信したときは、該第１索引により特定される第１時点を前記始点として特定し、
前記動画データの送信中に前記第２索引を受信したときは、該第２索引により特定される第２時点を前記終点として特定する、
ことを特徴としている。
この特徴によれば、利用者が携帯電話機上で、動画データに対する送信範囲となる始点及び終点を入力しておくことで、動画送信サーバから携帯電話機に対して、動画データの一部分である送信範囲を送信させることができる。これにより、利用者が携帯電話機上で、動画データの一部分を送信させることのできる動画送信システムを提供することができる。
【０００９】
本発明の請求項２に記載の動画送信システムは、請求項１に記載の動画送信システムであって、
前記送信範囲特定手段は、前記動画データの送信が終了するまでに、複数の前記第1索引を受信したときには、前記複数の第1索引のうち最後に受信した前記第1索引により特定される前記第１時点を前記始点として特定する、
ことを特徴としている。
この特徴によれば、利用者は携帯電話機上で、始点を、例えば、所望の時点を入力できるまで何度も入力したときに、最も有効な時点として最後に入力した時点が選択される。これにより、利用者が携帯電話機上で、動画データの任意の一部分を抽出することが容易な動画送信システムを提供することができる。
【００１０】
本発明の請求項３に記載の動画送信システムは、請求項１または２に記載の動画送信システムであって、
前記送信範囲特定手段は、前記動画データの送信が終了するまでに、複数の前記第２索引を受信したときには、前記複数の第２索引のうち最後に受信した前記第２索引により特定される前記第２時点を前記終点として特定する、
ことを特徴としている。
この特徴によれば、利用者は携帯電話機上で、動画データに対する終点を、例えば、所望の時点を入力できるまで何度も入力したときに、最も有効な時点として最後に入力した時点が選択される。これにより、利用者が携帯電話機上で、動画データの任意の一部分を抽出することが容易な動画送信システムを提供することができる。
【００１１】
本発明の請求項４に記載の動画送信システムは、請求項１〜３のいずれかに記載の動画送信システムであって、
前記送信範囲特定手段は、前記動画データの送信が終了するまでに、前記第1索引のみを受信したときには、該第1索引により特定される前記第１時点を前記始点として特定し、該動画データの終了時点を前記終点として特定する、
ことを特徴としている。
この特徴によれば、利用者は携帯電話機上で、動画データに対する始点を入力するのみで、動画データに対する送信範囲となる始点及び終点を特定させることができる。これにより、利用者が携帯電話機上で、一層簡単な手順で動画データの一部分を送信させることのできる動画送信システムを提供することができる。
【００１２】
本発明の請求項５に記載の動画送信システムは、請求項１〜４のいずれかに記載の動画送信システムであって、
前記送信範囲特定手段は、前記動画データの送信が終了するまでに、前記第２索引のみを受信したときには、該動画データの開始時点を前記始点として特定し、該第２索引により特定される前記第２時点を前記終点として特定する、
ことを特徴としている。
この特徴によれば、利用者は携帯電話機上で、動画データに対する終点を入力するのみで、動画データに対する送信範囲となる始点及び終点を特定させることができる。これにより、利用者が携帯電話機上で、一層簡単な手順で動画データの一部分を送信させることのできる動画送信システムを提供することができる。
【００１３】
本発明の請求項６に記載の動画送信システムは、請求項１〜５のいずれかに記載の動画送信システムであって、
前記送信範囲特定手段は、前記動画データの全ての送信が終了したときに、該動画データの送信範囲の始点及び終点を特定する、
ことを特徴としている。
この特徴によれば、利用者は携帯電話機上で、動画データに対する始点及び終点を入力する以外の操作を行うことなく、動画データの送信が終了するまで待つことで、動画データに対する送信範囲となる始点及び終点を特定させることができる。これにより、利用者が携帯電話機上で、一層簡単な手順で動画データの一部分を送信させることのできる動画送信システムを提供することができる。
【００１４】
本発明の請求項７に記載の動画送信システムは、請求項１〜６のいずれかに記載の動画送信システムであって、
前記送信範囲特定手段は、前記動画データの送信が終了するまでに、前記第２索引を受信した後に、該第２索引により特定される前記第２時点よりも後の時点となる前記第１時点を特定可能な前記第１索引を受信しているときは、該第１索引を受信するより前に受信した前記第１索引及び第２索引に対応する送信範囲の始点及び終点と、該第１索引以降に受信した前記第１索引及び第２索引に対応する送信範囲の始点及び終点と、をそれぞれ特定する、
ことを特徴としている。
この特徴によれば、利用者は携帯電話機上で、終点の後に、終点よりも後の１時点となる始点を入力することで、動画データに対する送信範囲となる始点及び終点を、複数同時に特定させることができる。これにより、利用者が携帯電話機上で、一層簡単な手順で動画データの一部分を送信させることのできる動画送信システムを提供することができる。
【００１５】
本発明の請求項８に記載の動画送信システムは、請求項１〜７のいずれかに記載の動画送信システムであって、
前記携帯電話機は、
前記第１索引入力手段による前記第１索引の入力と、前記第２索引入力手段による前記第２索引の入力と、を終了する旨を示す終了指示を前記利用者から受け付けるための終了指示入力手段と、
前記終了指示入力手段にて受け付けた前記終了指示を前記サーバコンピュータに送信する終了指示送信手段と、
を備え、
前記送信範囲特定手段は、前記終了指示を受信したときに前記動画データの送信を終了させて、該動画データの送信範囲の始点及び終点を特定する、
ことを特徴としている。
この特徴によれば、利用者は携帯電話機上で、動画データに対する始点及び終点を入力した後、動画データの送信が終了するまで待つことなく、終了指示を入力することで、動画データに対する送信範囲となる始点及び終点を特定させることができる。これにより、利用者が携帯電話機上で、一層簡単な手順で動画データの一部分を送信させることのできる動画送信システムを提供することができる。
【００１６】
本発明の請求項９に記載の動画送信システムは、請求項１〜８のいずれかに記載の動画送信システムであって、
前記携帯電話機は、
前記サーバコンピュータから送信されてくる前記動画データを受信して出力する動画出力手段と、
前記動画出力手段による前記動画データの出力中に、該動画データの前記第１時点を特定可能な前記第１索引を前記利用者から受け付ける第１索引入力手段と、
前記動画出力手段による前記動画データの出力中に、該動画データの前記第２時点を特定可能な前記第２索引を前記利用者から受け付けるための第２索引入力手段と、
を備え、
前記第１索引送信手段は、前記第１索引入力手段による受付時点を前記第１時点とし、該第１時点を特定可能な前記第１索引を前記サーバコンピュータに送信し、
前記第２索引送信手段は、前記第２索引入力手段による受付時点を前記第２時点とし、該第２時点を特定可能な前記第２索引を前記サーバコンピュータに送信する、
ことを特徴としている。
この特徴によれば、利用者は携帯電話機上で、始点と終点とを動画データを見ながら入力できるため、利用者は動画データの一部分を指定しやすくなる。これにより、利用者が携帯電話機上で、分かりやすい手順で動画データの一部分を送信させることのできる動画送信システムを提供することができる。
【００１７】
本発明の請求項１０に記載の動画送信システムは、請求項１〜９のいずれかに記載の動画送信システムであって、
前記携帯電話機は、
複数の前記動画データの送信範囲を特定可能な情報と、該動画データの送信範囲の送信順序を特定可能な情報と、からなる送信指示を受け付けるための送信指示入力手段と、
前記送信指示入力手段にて受け付けた前記送信指示を前記サーバコンピュータに送信する送信指示送信手段と、
を備え、
前記サーバコンピュータは、
前記動画送信手段は、受信した前記送信指示により特定される前記動画データの送信範囲を、該動画データの送信範囲の送信順序に基づいて前記携帯電話機に送信する、
ことを特徴としている。
この特徴によれば、利用者は携帯電話機上で、任意の動画データの送信範囲を、任意の順序で送信させることができる。
【００１８】
本発明の動画送信システムは、請求項１〜１０のいずれかに記載の動画送信システムであって、
前記携帯電話機は、
前記動画データを撮影可能な動画撮影手段と、
前記動画撮影手段にて撮影した前記動画データを前記サーバコンピュータに送信する動画送信手段と、
を備え、
前記サーバコンピュータは、前記動画送信手段にて送信された前記動画データを受信して記憶する動画受信手段を備える、
ことを特徴としている。
この特徴によれば、利用者が携帯電話機上で撮影した動画データに対して、その一部分を送信させることのできる動画送信システムを提供することができる。
【発明を実施するための最良の形態】
【００１９】
本発明の実施例を以下に説明する。
【実施例】
【００２０】
本発明の実施例を図面に基づいて説明すると、まず図１は、本発明の実施例１における動画送信システムの全体像を示す図である。
【００２１】
動画送信システムは、インターネット３に接続された動画送信サーバ１と、利用者が携行する携帯電話機２と、から構成される。
【００２２】
動画送信サーバ１は、ＣＰＵ（Central Processing Unit、図示略）と、ＲＯＭ（Read Only Memory、図示略）と、ＲＡＭ（Random Access Memory、図示略）と、インターネット３を介してデータを送受信するための通信部（図示略）と、ハードディスクなどの磁気記録装置である記憶部（図示略）と、から主に構成される通常のサーバコンピュータとされている。
【００２３】
動画送信サーバ１の記憶部（図示略）には、図１に示すように、動画データと、各動画データの送信範囲を特定可能な送信範囲データを複数記憶した送信範囲データテーブルと、各種の処理プログラムと、からなる。各種の処理プログラムとしては、携帯電話機２を介して利用者から送信範囲データを受け付けるための処理プログラムと、携帯電話機２を介して利用者から動画データの送信指示を受け付けるための処理プログラムと、携帯電話機２を介して利用者から動画データの投稿を受け付けるための処理プログラムと、がある。
【００２４】
ここで、動画データの送信範囲について説明する。動画データの送信範囲は、動画データの先頭である開始時点から、動画データの末尾である終了時点までの間の２つの時点により表わされ、これら２つの時点は各々始点、終点と称する。例えば、開始時点が０秒、終了時点が６０秒である動画データにおいて、送信範囲が始点１０秒、終点２５秒である場合には、この動画データの送信範囲は１０秒から２５秒までとなる。
【００２５】
本実施例の動画送信システムは、予め会員登録を行った利用者を対象としたサービスであり、動画送信サーバ１の記憶部（図示略）には、特に図示しないが、会員データを複数記憶した会員データテーブルが記憶されている。会員データは、会員となった利用者を特定可能な利用者ＩＤと、認証に必要なパスワードと、からなる。
【００２６】
尚、会員データテーブルは少なくとも利用者ＩＤを含めばどのような構造でも良い。
【００２７】
本実施例の動画送信システムが取り扱う動画データは、動画データを特定可能な動画ＩＤ（例えば、ファイル名）に対応付けて、タイトルが設定されており、動画送信サーバ１の記憶部（図示略）には、特に図示しないが、動画ＩＤとタイトルからなる動画情報を複数記憶した動画データテーブルが記憶されている。
【００２８】
図２は、動画送信サーバ１の記憶部（図示略）に記憶される送信範囲データテーブルの一例を示す図である。
【００２９】
送信範囲データテーブルには、送信範囲データを特定可能な送信範囲ＩＤに対応付けて、動画データを特定可能な動画ＩＤ（例えば、ファイル名）と、この動画データに送信範囲データを設定した利用者を特定可能な利用者ＩＤと、動画データの送信範囲を示す始点と、終点と、が記憶されている。
【００３０】
送信範囲データの始点、及び、終点は、例えば、図５の（ａ）に示すように、動画データの開始時点を０秒として、この開始時点からの経過時間を示す秒数となっている。
【００３１】
送信範囲データテーブルには、１つの動画データに対して、複数人の利用者が、各々複数個の送信範囲データを記憶できるようになっている。
【００３２】
また、図５（ｄ）に示すように、具体的には、送信範囲ＩＤが「０００００１０００１」である送信範囲データとして示すように、複数の動画データの送信範囲を含む１つの送信範囲データを記憶できるようになっている。この送信範囲ＩＤが「０００００１０００１」である送信範囲データは、動画ＩＤが「０００１．ａｖｉ」である動画データの１０秒から２５秒の後に、動画ＩＤが「０００２．ａｖｉ」である動画データの２秒から２９秒が連続していることを示している。
【００３３】
携帯電話機２は、各種制御を行う制御部（図示略）と、インターネット３を介してデータを送受信するための通信部（図示略）と、決定ボタン２０１、左ボタン２０２、右ボタン２０３等のボタンからなる入力部（図示略）と、動画データを撮影可能なカメラ２０４と、各種データを表示するための表示部２０５と、から主に構成される通常の携帯電話機とされている。携帯電話機２は、インターネット３を介して、動画送信サーバ１にアクセスできるようになっている。
【００３４】
以降では、上述した動画送信システムにおいて、利用者が動画送信サーバ１にアクセスして、動画を送信させる処理について説明していく。
【００３５】
まず、前述したように本実施例の動画送信システムは、予め会員登録を行った利用者を対象としたサービスであり、未だ会員登録を行っていない利用者は、携帯電話機２を用いて動画送信サーバ１にアクセスし、会員登録のための操作を行う。例えば、利用者ＩＤとパスワードを入力する。この利用者の操作を受け付けた動画送信サーバ１は、前述した会員データテーブルに、この利用者を特定可能な利用者ＩＤと、パスワードと、からなる会員データを登録する。
【００３６】
会員登録を行った利用者は、その後、携帯電話機２を用いて動画送信サーバ１にアクセスしたときに、会員登録を行った利用者か否かを確認する認証のための操作を行う。例えば、利用者ＩＤと、パスワードと、を入力する。この利用者の操作を受け付けた動画送信サーバ１は、受け付けた利用者ＩＤとパスワードからなる会員データが、会員データテーブルに登録されているか否かを確認し、確認できなかったときには、以降の処理を行わない。
【００３７】
一方、受け付けた利用者ＩＤとパスワードからなる会員データが、会員データテーブルに登録されていると確認した動画送信サーバ１は、会員用処理（図３）に進む。
【００３８】
図３は、動画送信システムにおける会員用処理を示すフローチャートである。
【００３９】
会員用処理に進んだ動画送信サーバ１は、図４（ａ）に示すマイページを生成するマイページ生成処理Ｓ１０１を行う。マイページは３種類の選択肢からなる。送信範囲登録と、動画送信と、動画投稿と、である。生成されたマイページは携帯電話機２に送信されて、携帯電話機２は、図４（ａ）に示すマイページを表示部２０５に表示する。
【００４０】
マイページを生成した動画送信サーバ１は、利用者が送信範囲登録、動画送信、動画投稿のいずれかを選択するまで待機する待機状態に移行する（Ｓ１０２、Ｓ１０９、Ｓ１１４）。
【００４１】
マイページ（Ｓ１０２、Ｓ１０９、Ｓ１１４）において利用者の決定ボタン２０１の操作により、送信範囲登録を選択した旨を受け付けると、動画送信サーバ１は、Ｓ１０２においてＹＥＳと判定して動画特定処理Ｓ１０３に移行する。
【００４２】
動画特定処理Ｓ１０３で動画送信サーバ１は、動画データテーブル（図示略）に記憶されているすべての動画データを特定する。そして、これら動画データ（動画ＩＤとタイトル）を含んだ登録対象選択ページを生成するページ生成処理Ｓ１０４を行う。
【００４３】
登録対象選択ページには、図４（ｂ）に示すように、全ての動画データがそれぞれ選択可能に表示されている。尚、選択可能なものはいずれか１件のみである。
【００４４】
生成された登録対象選択ページは携帯電話機２に送信されて、携帯電話機２は、図４（ｂ）に示す登録対象選択ページを表示部２０５に表示する。
【００４５】
登録対象選択ページを生成した動画送信サーバ１は、動画受付処理Ｓ１０５に進み、利用者が動画データのいずれかを選択するまで待機する。
【００４６】
利用者の決定ボタン２０１の操作により、動画データのいずれかを選択した旨を受け付けると、動画送信サーバ１は、この選択に応じて動画データを送信する動画送信処理Ｓ１０６を行う。
【００４７】
動画データが選択されたときには、動画送信サーバ１は動画送信処理Ｓ１０６において、動画データの全てを送信する。
【００４８】
動画データを送信した動画送信サーバ１は、送信範囲登録の受付処理Ｓ１０７に進み、利用者の操作を待機する待機状態に移行する。
【００４９】
動画データを受信した携帯電話機２は、図４（ｃ）に示す動画ページを表示部２０５に表示する。動画ページには、図４（ｃ）に示すように、動画データが表示されており、かつ、図４（ｃ）下部に示すように、左ボタン２０２により始点が、右ボタン２０３により終点が、決定ボタン２０１により終了が、各々入力できるようになっている。
【００５０】
利用者が、動画データを実際に見ながら、所望の時点で左ボタン２０２（始点）か右ボタン２０３（終点）か決定ボタン２０１（終了）のいずれかを操作することにより、操作時点と操作対象のボタンを特定可能な情報と、操作対象となった動画データを特定可能な動画ＩＤと、が、携帯電話機２から動画送信サーバ１に送信される。
【００５１】
送信範囲登録の受付処理Ｓ１０７において、操作時点と、操作対象のボタンを特定可能な情報と、操作対象となった動画データを特定可能な動画ＩＤと、を受信した動画送信サーバ１は、操作対象のボタンに応じた処理を行う。
【００５２】
まず、左ボタン２０２（始点）が操作対象のボタンである場合には、操作時点を始点として一時記憶する。また、右ボタン２０３（終点）が操作対象のボタンである場合には、操作時点を終点として一時記憶する。
【００５３】
これら左ボタン２０２（始点）か右ボタン２０３（終点）の操作は、決定ボタン２０１（終了）の操作を受け付けるか、動画データの末尾までを送信して送信終了となるまでは、何度受け付けても良く、受け付けたすべての時点を始点、終点として何個でも一時記憶を行う。
【００５４】
送信範囲登録の受付処理Ｓ１０７において、決定ボタン２０１（終了）の操作を受け付けるか、動画データの末尾までを送信して送信終了となったときには、送信範囲の特定処理Ｓ１０８に移行する。
【００５５】
送信範囲の特定処理Ｓ１０８において、動画送信サーバ１は、一時記憶している始点及び終点に基づいて送信範囲を特定し、この送信範囲を送信範囲データテーブルに記憶する。
【００５６】
送信範囲を示す始点及び終点としては、原則的に、一時記憶している始点のうち最後に受け付けた始点と、一時記憶している終点のうち最後に受け付けた終点と、が特定される。尚、最後に受け付けた終点が、始点より前の時点を示す場合には、始点より後の時点を示す終点のうち、最も後に受け付けた終点を特定する。
【００５７】
ここで、送信範囲の特定処理Ｓ１０８における送信範囲を示す始点及び終点の特定方法について、詳しく説明していく。
【００５８】
まず、始点と終点を１つずつ受け付けた場合には、図６（ａ）に示すように、受け付けた始点と終点からなる送信範囲が特定される。
【００５９】
また、始点と終点を複数受け付けた場合には、図６（ｂ）に示すように、最後に指定された始点と終点からなる送信範囲が特定される。
【００６０】
また、始点のみ受け付けた場合には、図６（ｃ）に示すように、受け付けた始点と動画データの終了時点からなる送信範囲が特定される。すなわち、動画データの末尾となる終了時点が終点として特定される。
【００６１】
また、終点のみ受け付けた場合には、図６（ｄ）に示すように、動画データの開始時点と受け付けた終点とからなる送信範囲が特定される。すなわち、動画データの先頭となる開始時点が始点として特定される。
【００６２】
また、終点（例えば、「終点１」）を受信した後に、終点よりも後の時点を示す始点（例えば、「始点２」）を受信した場合には、図６（ｅ）に示すように、受信した「始点２」より前に受信した「始点１」及び「終点１」とを１つ目の送信範囲として特定し、更に、受信した「始点２」以降の「始点２」及び「終点２」を２つ目の送信範囲として特定する。
【００６３】
また、図６（ｅ）においては、「終点２」を受信した後に、「終点２」よりも後の時点を示す「始点３」を受信しており、更に、受信した「始点３」以降の始点及び終点を３つ目以降の送信範囲として特定する。
【００６４】
送信範囲を特定して送信範囲データテーブル（図２）に記憶した動画送信サーバ１は、マイページ生成処理Ｓ１０１に進み、再度図４（ａ）に示すマイページを携帯電話機２に送信する。
【００６５】
マイページ（Ｓ１０２、Ｓ１０９、Ｓ１１４）において利用者の決定ボタン２０１の操作により、動画送信を選択した旨を受け付けると、動画送信サーバ１は、Ｓ１０９においてＹＥＳと判定して動画特定処理Ｓ１１０に移行する。
【００６６】
動画特定処理Ｓ１１０で動画送信サーバ１は、認証により確認した利用者を特定可能な利用者ＩＤに対応付けて、送信範囲データテーブル（図２）に記憶されているすべての送信範囲データを特定する。そして、これら送信範囲データと、送信範囲データに含まれる動画データのタイトルを含んだ再生用送信範囲ページを生成するページ生成処理Ｓ１１２を行う。
【００６７】
再生用送信範囲ページには、図４（ｄ）に示すように、この利用者が送信範囲データを登録した全ての動画データと、各々の動画データに対してこの利用者が登録した全ての送信範囲データと、が、それぞれ選択可能、かつ、順番指定可能に表示されている。尚、選択可能なものは動画データと送信範囲データであり、同時に複数件を選択し、各々に順番指定できる。
【００６８】
具体的には、再生用送信範囲ページには、図４（ｄ）に示すように、順番を示す数字（０、１、２・・・）を指定可能なセレクトボックスが表示されており、このセレクトボックスにより、動画データと送信範囲データが選択可能、かつ、順番指定可能となっている。順番を示す数字として０を指定したときには、選択されなかったことを示している。すなわち、再生用送信範囲ページでは、動画データと送信範囲データに対して、数字の選択入力が可能となっている。
【００６９】
また、再生用送信範囲ページには、図４（ｄ）に示すように、ページ下部に再生ボタンも表示されている。
【００７０】
生成された再生用送信範囲ページは携帯電話機２に送信されて、携帯電話機２は、図４（ｄ）に示す再生用送信範囲ページを表示部２０５に表示する。
【００７１】
再生用送信範囲ページを生成した動画送信サーバ１は、送信指示の受付処理Ｓ１１２に進み、利用者が、動画データもしくは送信範囲データに対して数字の選択入力を行って、再生ボタンを操作するまで待機する。
【００７２】
利用者が、動画データもしくは送信範囲データに対して数字の選択入力を行って、再生ボタンを操作した旨を受け付けると、動画送信サーバ１は、この選択に応じて動画データを送信する動画送信処理Ｓ１１３を行う。
【００７３】
動画データもしくは送信範囲データに対して数字の選択入力がされていないときには、動画送信サーバ１は、動画送信処理Ｓ１１３において、何の処理も行わずにマイページ生成処理Ｓ１０１に進み、再度図４（ａ）に示すマイページを携帯電話機２に送信する。
【００７４】
また、動画データもしくは送信範囲データに対して数字の選択入力がされているときには、動画送信サーバ１は、動画送信処理Ｓ１１３において、選択された動画データもしくは送信範囲データにより特定される動画データの送信範囲を、指定された順序で連続的に携帯電話機２に送信する。すなわち連続送信である。
【００７５】
例えば、図４（ｄ）に示すように、動画１の１０〜１５秒の送信範囲データ（図５（ａ）斜線部）を１、動画２の２〜２９秒の送信範囲データ（図５（ｂ）斜線部）を２、として再生ボタンを操作した場合には、図５（ｃ）に示すように、これらが連続的に携帯電話機２に送信される。
【００７６】
このとき、携帯電話機２の表示部２０５には、図４（ｅ）に示すように、図５（ｃ）に示す動画データが表示される。
【００７７】
また、動画送信処理Ｓ１１３において、動画データの連続送信を行った動画送信サーバ１は、送信した複数の動画データの送信範囲を含む１つの送信範囲データを新たに送信範囲データテーブルに記憶する。
【００７８】
例えば、図４（ｄ）に示す操作に基づいて連続送信を行った場合には、図５（ｄ）に示すように、具体的には、送信範囲ＩＤが「０００００１０００１」である送信範囲データとして示すように、動画ＩＤが「０００１．ａｖｉ」である動画データの１０秒から２５秒の後に、動画ＩＤが「０００２．ａｖｉ」である動画データの２秒から２９秒が、連続送信する旨の送信範囲が送信範囲データテーブル（図２）に記憶される。
【００７９】
動画データを送信した動画送信サーバ１は、マイページ生成処理Ｓ１０１に進み、再度図４（ａ）に示すマイページを携帯電話機２に送信する。
【００８０】
この後、利用者の決定ボタン２０１の操作により、動画送信を選択した旨を受け付けると、動画送信サーバ１は、Ｓ１０９においてＹＥＳと判定して動画特定処理Ｓ１１０に移行する。
【００８１】
動画特定処理Ｓ１１０で動画送信サーバ１は、認証により確認した利用者を特定可能な利用者ＩＤに対応付けて、送信範囲データテーブル（図２）に記憶されているすべての送信範囲データを特定する。このとき、送信範囲データテーブル（図２）には、前述したように、連続送信した動画に対応する送信範囲が追加記憶されているので、図４（ｆ）に示すように、連続送信した動画に対応する送信範囲として「連続送信１」（名前はどのように決めても良い）が選択可能に表示されることとなる。
【００８２】
これにより、利用者は、動画送信サーバ１に一度連続送信させた動画を、再度連続送信させることが容易となる。
【００８３】
マイページ（Ｓ１０２、Ｓ１０９、Ｓ１１４）において利用者の決定ボタン２０１の操作により、動画投稿を選択した旨を受け付けると、動画送信サーバ１は、Ｓ１１４においてＹＥＳと判定してページ生成処理Ｓ１１５に移行する。
【００８４】
ページ生成処理Ｓ１１５で動画送信サーバ１は、動画データをメール送信により受け付けるための投稿受付ページを生成する。
【００８５】
投稿受付ページには、図４（ｇ）に示すように、携帯電話機２のメールプログラムを起動するための情報が選択可能に表示されている。この起動するための情報には、動画送信サーバ１において、動画データを添付したメールを受け付けるためのメールアドレスが含まれている。
【００８６】
生成された投稿受付ページは携帯電話機２に送信されて、携帯電話機２は、図４（ｇ）に示す投稿受付ページを表示部２０５に表示する。
【００８７】
投稿受付ページを生成した動画送信サーバ１は、動画投稿の受付処理Ｓ１１６に進み、利用者が動画データをメールにて送信するまで待機する。
【００８８】
ここで、動画データのメールでの投稿方法について説明する。
【００８９】
本実施例１において、携帯電話機２はカメラ２０４を備えており、利用者は、携帯電話機２のカメラ２０４により撮影を行うことで、動画データを作成することができるようになっている。また、携帯電話機２は、動画データを添付したメールを送付する機能を備えており、利用者は、作成した動画データをメールに添付して送付することができるようになっている。
【００９０】
一方、動画送信サーバ１には、動画データを添付したメールを受け付けるためのメールアドレスが用意されている。
【００９１】
この状況において利用者は、動画送信サーバ１のメールアドレスに対して、動画データを添付し、かつ、この利用者を特定可能な利用者ＩＤを含むメールを送信することにより、動画データを投稿することができるのである。
【００９２】
携帯電話機２の表示部２０５に図４（ｇ）に示す投稿受付ページが表示されているときに、利用者が、決定ボタン２０１の操作により、携帯電話機２のメールプログラムを起動するための情報を選択すると、携帯電話機２のメールプログラムが起動される。
【００９３】
そして、利用者は、携帯電話機２のメールプログラムにて、動画データを添付し、かつ、この利用者を特定可能な情報である利用者ＩＤを含むメールを送信する操作を行う。
【００９４】
動画データを添付したメールを受け付けた動画送信サーバ１は、添付された動画データをメールから抽出し、動画送信サーバ１の記憶部（図示略）に記憶する動画登録処理Ｓ１１７を行う。このとき、動画データを特定可能な動画ＩＤや、動画のタイトルも適宜決定されて、動画データテーブルに登録される。
【００９５】
動画データを登録した動画送信サーバ１は、マイページ生成処理Ｓ１０１に進み、再度図４（ａ）に示すマイページを携帯電話機２に送信する。この後、マイページ（Ｓ１０２、Ｓ１０９、Ｓ１１４）において利用者が、送信範囲登録を選択したときには、新たな動画データとして投稿した動画データが表示されるようになる。
【００９６】
尚、ページ生成処理Ｓ１１5を行った後、ただちにマイページ生成処理Ｓ１０１に進み、再度図４（ａ）に示すマイページを携帯電話機２に送信しても良い。この場合には、メールの受信に基づいて動画投稿の受付処理Ｓ１１６と、動画登録処理Ｓ１１７を行うようにすれば良い。
【００９７】
また、ページ生成処理Ｓ１１５において、動画データのアップロードフォームを組み込んだ投稿受付ページを生成しても良い。この場合には、動画投稿の受付処理Ｓ１１６と、動画登録処理Ｓ１１７において、アップロードフォームを介して送信された動画データを投稿された動画データとして扱うようにすれば良い。
【００９８】
以上、本実施例によれば、利用者が携帯電話機２上で、動画データに対する送信範囲となる始点及び終点を入力しておくことで、動画送信サーバ１から携帯電話機２に対して、動画データの一部分である送信範囲を送信させることができる。これにより、利用者が携帯電話機２上で、動画データの一部分を送信させることのできる動画送信システムを提供することができる。
【００９９】
また、本実施例によれば、利用者は携帯電話機２上で、始点を、例えば、所望の時点を入力できるまで何度も入力したときに、最も有効な時点として最後に入力した時点が選択される。これにより、利用者が携帯電話機２上で、動画データの任意の一部分を抽出することが容易な動画送信システムを提供することができる。
【０１００】
また、本実施例によれば、利用者は携帯電話機２上で、動画データに対する終点を、例えば、所望の時点を入力できるまで何度も入力したときに、最も有効な時点として最後に入力した時点が選択される。これにより、利用者が携帯電話機２上で、動画データの任意の一部分を抽出することが容易な動画送信システムを提供することができる。
【０１０１】
また、本実施例によれば、利用者は携帯電話機２上で、動画データに対する始点を入力するのみで、動画データに対する送信範囲となる始点及び終点を特定させることができる。これにより、利用者が携帯電話機２上で、一層簡単な手順で動画データの一部分を送信させることのできる動画送信システムを提供することができる。
【０１０２】
また、本実施例によれば、利用者は携帯電話機２上で、動画データに対する終点を入力するのみで、動画データに対する送信範囲となる始点及び終点を特定させることができる。これにより、利用者が携帯電話機２上で、一層簡単な手順で動画データの一部分を送信させることのできる動画送信システムを提供することができる。
【０１０３】
また、本実施例によれば、利用者は携帯電話機２上で、動画データに対する始点及び終点を入力する以外の操作を行うことなく、動画データの送信が終了するまで待つことで、動画データに対する送信範囲となる始点及び終点を特定させることができる。これにより、利用者が携帯電話機２上で、一層簡単な手順で動画データの一部分を送信させることのできる動画送信システムを提供することができる。
【０１０４】
また、本実施例によれば、利用者は携帯電話機２上で、終点の後に、終点よりも後の１時点となる始点を入力することで、動画データに対する送信範囲となる始点及び終点を、複数同時に特定させることができる。これにより、利用者が携帯電話機２上で、一層簡単な手順で動画データの一部分を送信させることのできる動画送信システムを提供することができる。
【０１０５】
また、本実施例によれば、利用者は携帯電話機２上で、動画データに対する始点及び終点を入力した後、動画データの送信が終了するまで待つことなく、終了指示を入力することで、動画データに対する送信範囲となる始点及び終点を特定させることができる。これにより、利用者が携帯電話機２上で、一層簡単な手順で動画データの一部分を送信させることのできる動画送信システムを提供することができる。
【０１０６】
また、本実施例によれば、利用者は携帯電話機２上で、始点と終点とを動画データを見ながら入力できるため、利用者は動画データの一部分を指定しやすくなる。これにより、利用者が携帯電話機２上で、分かりやすい手順で動画データの一部分を送信させることのできる動画送信システムを提供することができる。
【０１０７】
また、本実施例によれば、利用者は携帯電話機２上で、任意の動画データの送信範囲を、任意の順序で送信させることができる。
【０１０８】
また、本実施例によれば、利用者が携帯電話機２上で撮影した動画データに対して、その一部分を送信させることのできる動画送信システムを提供することができる。
【０１０９】
以上、本発明の実施例を図面により説明してきたが、具体的な構成はこれら実施例に限られるものではなく、本発明の要旨を逸脱しない範囲における変更や追加があっても本発明に含まれる。
【０１１０】
例えば、前記実施例では、送信範囲登録の受付処理Ｓ１０７において、携帯電話機２にて利用者が左ボタン２０２（始点）、もしくは、右ボタン２０３（終点）を操作するたびに、携帯電話機２が始点と終点を動画送信サーバ１に送信して、始点と終点を一時記憶させておき、携帯電話機２にて利用者が決定ボタン２０１（終了）の操作するか、動画データの末尾までを送信して送信終了となったときに、動画送信サーバ１において最後に記憶された始点と終点とを特定する構成としているが、本発明はこれに限定されるものではない。
【０１１１】
例えば、携帯電話機２にて利用者が左ボタン２０２（始点）、もしくは、右ボタン２０３（終点）を操作するたびに、携帯電話機２において始点と終点を一時記憶しておき、携帯電話機２にて利用者が決定ボタン２０１（終了）の操作するか、動画データの末尾までを送信して送信終了となったときに、携帯電話機２において最初に記憶された始点と終点とを特定する構成としても良い。
【０１１２】
また、一時記憶された始点と終点の全てを、携帯電話機２にて選択可能に表示して、利用者が始点と終点を特定できるようにしても良い。
【０１１３】
また、前記実施例では、動画特定処理Ｓ１０３において動画データのみを特定し、動画特定処理Ｓ１０５において利用者に動画データのいずれかを選択させ、動画送信処理Ｓ１０６において動画データ全てを送信し、そのうちから送信範囲登録の受付処理Ｓ１０７において始点や終点を受け付ける構成としているが、本発明はこれに限定されるものではなく、動画特定処理Ｓ１０３において、動画特定処理Ｓ１１０と同様に、動画データと動画データの送信範囲を特定し、動画特定処理Ｓ１０５において利用者に動画データか動画データの送信範囲のいずれかを選択させ、動画送信処理Ｓ１０６において選択された動画データ全てか動画データの送信範囲のいずれかを送信し、そのうちから送信範囲登録の受付処理Ｓ１０７において始点や終点を受け付ける構成としても良い。
【０１１４】
このときに、例えば、送信範囲登録の対象として利用者に選択された動画データの送信範囲が、１０秒から３０秒であった場合には、送信の開始時点から５秒目の時点は１５秒目の時点と、また、１０秒目の時点は１０秒目の時点として特定すれば良い。
【０１１５】
また、前記実施例では、携帯電話機２にて利用者が左ボタン２０２（始点）、もしくは、右ボタン２０３（終点）を操作した時点を始点や終点としているが、本発明はこれに限定されるものではなく、操作時点に対して予め定めておいた時差（例えば、５秒間）を適用した時点を始点や終点としても良い。例えば、スポーツ番組のようにわずかな間に劇的に局面が変化する動画データに対して有効である。
【０１１６】
また、前記実施例では、携帯電話機２にて利用者が左ボタン２０２（始点）、もしくは、右ボタン２０３（終点）を操作した時点を始点や終点としているが、本発明はこれに限定されるものではない。例えば、動画データに予め送信範囲を複数（１つでも良い）定めておき、操作対象のボタンを１つ（例えば、左ボタン２０２）にする。そして、ボタンの操作時点を含む送信範囲を、利用者から受け付けた送信範囲として選択すれば良い。例えば、ニュース番組のように予め話題ごとに切り出しやすい動画データに対して有効である。
【図面の簡単な説明】
【０１１７】
【図１】本発明の実施例における動画送信システムの全体像を示すシステム図である。
【図２】本発明の実施例における送信範囲データの一例を示す図である。
【図３】本発明の実施例における会員用処理を示すフローチャートである。
【図４】本発明の実施例における携帯電話機の表示部の出力状況の一例を示す図である。
【図５】本発明の実施例における動画データの連結状況の一例を示す図である。
【図６】本発明の実施例における動画データの送信範囲の受付状況の一例を示す図である。
【符号の説明】
【０１１８】
１                サーバコンピュータ
２                携帯電話機
３                インターネット
２０１            決定ボタン
２０２            左ボタン
２０３            右ボタン
２０４            カメラ
２０５            表示部
【図１】
2009218833.tif 000003
【図２】
2009218833.tif 000004
【図３】
2009218833.tif 000005
【図４】
2009218833.tif 000006
【図５】
2009218833.tif 000007
【図６】
2009218833.tif 000008